(57)【要約】【課題】電気接続箱から引き出すワイヤハーネスを固定するテープ巻き片を必要時に突設できるようにする。【解決手段】ケースに設けたワイヤハーネスの引出口の端縁に沿って矩形状のテープ巻き片を前記ケース外面に配置し、該テープ巻き片の一辺側に設けた支軸を前記ケース外面に突設した軸受部に回転可能に取り付けると共に、該軸受部の軸穴の内周面と前記支軸の外周面に設ける凹凸形状で、前記テープ巻き片をケース外面に沿った倒伏位置と前記引出口の端縁から外方へ突出する起立位置に選択的に係止保持し、前記起立位置では前記引出口から引き出されるワイヤハーネスと前記テープ巻き片を粘着テープで固着できる構成としている。【選択図】図５
2012170239.tif 000002
【特許請求の範囲】
【請求項１】
ワイヤハーネスが接続される電気接続箱であって、
ケースに設けたワイヤハーネスの引出口の端縁に沿って矩形状のテープ巻き片を前記ケース外面に配置し、該テープ巻き片の一辺側に設けた支軸を前記ケース外面に突設した軸受部に回転可能に取り付けると共に、該軸受部の軸穴の内周面と前記支軸の外周面に設ける凹凸形状で、前記テープ巻き片をケース外面に沿った倒伏位置と前記引出口の端縁から外方へ突出する起立位置に選択的に係止保持し、前記起立位置では前記引出口から引き出されるワイヤハーネスと前記テープ巻き片を粘着テープで固着できる構成としている電気接続箱。
【請求項２】
前記ケースの外面に前記倒伏位置のテープ巻き片を内嵌するコ字枠の収容枠を突設し、前記収容枠の両側先端部分を前記軸受部とすると共に該両側軸受部に前記軸穴を凹設する一方、前記テープ巻き片の一辺に沿って回転支点部を設け、該回転支点部の両端面から前記支軸を突設し、前記回転支点部は前記ケース外面に沿って回転する円弧状外面を備え、かつ、該テープ巻き片の他端にテープ止め突起を設けている請求項１に記載の電気接続箱。
【請求項３】
前記軸穴の内周面に９０度円弧の扇形状の係止凸部を突設する一方、前記テープ巻き片の回転支点部の両端面から突設した前記支軸は断面正方形の隅部に扇状突起を突設し、前記扇状突起を前記係止凸部の円弧面に摺接させてテープ巻き片を回転させ、扇状突起に挟んで前記係止凸部が係止して、前記テープ巻き片を前記起立位置または倒伏位置に保持する構成としている請求項２に記載の電気接続箱。
【発明の詳細な説明】
【技術分野】
【０００１】
本発明は電気接続箱に関し、詳しくは、自動車に配索されるワイヤハーネスに接続される車載用電気接続箱において、該電気接続箱から引き出されるワイヤハーネスを必要に応じて引出口で固定できるようにするものである。
【背景技術】
【０００２】
車載用の電気接続箱は、ケース内部に収容した回路部材をワイヤハーネスの電線に接続して分岐接続回路を集約的に設け、前記内部回路材と接続したワイヤハーネスはケース外壁に設けたワイヤハーネスの引出口から外部に引き出している。
この種の電気接続箱では、特開平１１−３０８７２９号公報に記載のように、電気接続箱のケースには、引出口を囲む周壁より外部にテープ巻き片を突設し、引き出されるワイヤハーネスをテープ巻き片に粘着テープで固着している。これにより、電気接続箱の引出口からの所要部材までのワイヤハーネスの長さ寸法を正確に割り出せるようにしている。
【先行技術文献】
【特許文献】
【０００３】
【特許文献１】特開平１１−３０８７２９号公報
【発明の概要】
【発明が解決しようとする課題】
【０００４】
しかしながら、電気接続箱の引出口から引き出したワイヤハーネスは急激曲げして配索する場合には、引出口に突設したテープ巻き片は邪魔になる。また、引出口に近接したケース内部でワイヤハーネスが内部回路材やケースに固定される場合には、引出口から外方へ突出したテープ巻き片を設ける必要はない。
一方、テープ巻き片が設けられておらず且つ引出口に近接したケース内部でワイヤハーネスが固定されない場合には、電気接続箱の引出口でワイヤハーネスは固定されず、電気接続箱から引き出されるワイヤハーネスのバラツキを押さえることができない。よって、電気接続箱から所要部品までのワイヤハーネスの寸法を検査時等で正確に測定することができない問題がある。
【０００５】
このように、電気接続箱のワイヤハーネスの引出口に、ワイヤハーネスと固着するテープ巻き片を突設することが好ましい場合と、突設する必要がない場合とがある。テープ巻き片を設けた電気接続箱と、設けていない電気接続箱を個別に成形すると、成形用金型作成費がかかると共に、部品点数が多くなり、部品管理コストもかかる等の問題がある。
さらに、電気接続箱をワイヤハーネスと接続するまでは、テープ巻き片をケース外面に突出した構成とすると、電気接続箱は占有スペースが大きくなり、保管および運転時に大きなスペースを要する問題がある。よって、電気接続箱にワイヤハーネスを接続するまでは、テープ巻き片をケースより突出させないことが好ましい。
【０００６】
本発明は前記問題に鑑みてなされたもので、電気接続箱のワイヤハーネス引出口から外方に突出するテープ巻き片が必要な場合には突設でき、不要な場合には突設せずにスペースを取らず、共用で用いることができる電気接続箱を提供することを課題としている。
【課題を解決するための手段】
【０００７】
前記課題を解決するため、本発明は、
ワイヤハーネスが接続される電気接続箱であって、
ケースに設けたワイヤハーネスの引出口の端縁に沿って矩形状のテープ巻き片を前記ケース外面に配置し、該テープ巻き片の一辺側に設けた支軸を前記ケース外面に突設した軸受部に回転可能に取り付けると共に、該軸受部の軸穴の内周面と前記支軸の外周面に設ける凹凸形状で、前記テープ巻き片をケース外面に沿った倒伏位置と前記引出口の端縁から外方へ突出する起立位置に選択的に係止保持し、前記起立位置では前記引出口から引き出されるワイヤハーネスと前記テープ巻き片を粘着テープで固着できる構成としている電気接続箱を提供している。
【０００８】
前記のように、本発明の電気接続箱では、電気接続箱のケースの引出口の端縁に沿ったケース外面にテープ巻き片を起伏自在に取り付け、ワイヤハーネスをテープ巻き片に粘着テープで巻き付ける必要がある時はテープ巻き片を起立させ、不要時にはケース外面に沿った状態に倒伏させている。これにより、テープ巻き片の有無によって電気接続箱のケースを専用化して成形する必要は無く、共用化でき、製造コストを低下することができる。
さらに、電気接続箱にワイヤハーネスを接続するまでは、テープ巻き片を倒伏位置としてケース外面に沿わせておくと、電気接続箱の占有スペースを小さくでき、保管および運搬時に有利となる。
また、テープ巻き片は起立位置と倒伏位置のいずれの位置にも、回転支軸と軸受との凹凸形状で位置決め保持できる。即ち、バネやピン等の別部材を用いることなく、テープ巻き片を起立位置と倒伏位置に回転するだけで、該位置で位置決め保持することができる。
【０００９】
前記ケースの外面に前記倒伏位置のテープ巻き片を内嵌するコ字枠の収容枠を突設し、前記収容枠の両側先端部分を前記軸受部とすると共に該両側軸受部に前記軸穴を凹設する一方、前記テープ巻き片の一辺に沿って回転支点部を設け、該回転支点部の両端面から前記支軸を突設し、前記回転支点部は前記ケース外面に沿って回転する円弧状外面を備え、かつ、該テープ巻き片の他端にテープ止め突起を設けていることが好ましい。
【００１０】
さらに、前記軸穴の内周面に９０度円弧の扇形状の係止凸部を突設する一方、前記テープ巻き片の回転支点部の両端面から突設した前記支軸は断面正方形の隅部に扇状突起を突設し、前記扇状突起を前記係止凸部の円弧面に摺接させてテープ巻き片を回転させ、扇状突起に挟んで前記係止凸部が係止して、前記テープ巻き片を前記起立位置または倒伏位置に保持する構成としていることが好ましい。
前記形状とすると、テープ巻き片を起立位置と倒伏位置にそれぞれ安定して位置決め保持することができる。
【発明の効果】
【００１１】
前記のように、本発明のワイヤハーネスと接続する電気接続箱では、ケースに設けたワイヤハーネスの引出口に沿ったケース外面にテープ巻き片を起伏自在に軸着し、引出口から引き出されるワイヤハーネスを引出位置に固定する必要がある場合には、テープ巻き片をケースから外方へ起立させてワイヤハーネスに粘着テープを巻き付けているため、ワイヤハーネスの寸法検査時に正確に寸法測定を行うことができる。
また、ワイヤハーネスをテープ巻き片に巻き付ける必要がない場合はテープ巻き片をケース外面に沿った倒伏位置に保持しておけばよいため、テープ巻き片の有無にかかわり無く電気接続箱を共用化できる。
さらに、ワイヤハーネスを電気接続箱に接続するまでは、テープ巻き片を突出させずに倒伏位置に保持するため、外形が大型化せず、占有スペースをとらず、保管や運搬に有利となる利点がある。  
【図面の簡単な説明】
【００１２】
【図１】本発明の実施形態を示し、(Ａ)は電気接続箱の斜視図、（Ｂ）はワイヤハーネス引き出し部分の拡大断面図である。
【図２】前記電気接続箱のケースであるロアカバーを示し、（Ａ）は底面図、（Ｂ）は斜視図、（Ｃ）は軸受部分の拡大斜視図、（Ｄ）は軸穴の概略図である。
【図３】前記ロアカバーに取り付けるテープ巻き片を示し、（Ａ）は斜視図、（Ｂ）は正面図、（Ｃ）は左側面図、（Ｄ）は支軸の断面図である。
【図４】テープ巻き片を倒伏位置としている状態を示し、（Ａ）は斜視図、（Ｂ）は正面図、（Ｃ）は支軸と軸穴の関係を示す図面である。
【図５】テープ巻き片を起立位置としている状態を示し、（Ａ）は斜視図、（Ｂ）は正面図、（Ｃ）は支軸と軸穴の関係を示す図面である。
【図６】（Ａ）（Ｂ）は変形例を示す図面である。
【発明を実施するための形態】
【００１３】
以下、本発明の実施形態を図面を参照して説明する。
図１乃至図５に実施形態の電気接続箱を示す。
【００１４】
図１に示すように、電気接続箱１は自動車に配索するワイヤハーネス２の端末に接続されて、自動車内に搭載されるものである。該電気接続箱１の略直方体形状のケースは、本体ケース３と、該本体ケース３の上部にロック結合するアッパーカバー４、本体ケース３の下部にロック結合するロアカバー５とからなる。該電気接続箱１のケース内部にはリレーあるいは／およびヒューズ、必要に応じてバスバー等の内部回路材を収容している。
【００１５】
図２に示すように、前記ロアカバー５は長方形状の底板部５ａの周縁に低い周壁５ｂがあり、該周壁５ｂにロック枠５ｃを突設し本体ケース３のロック爪（図示せず）とロック結合するものとしている。該ロアカバー５の一方の短辺５ｓの中央部に切り欠いて設けたワイヤハーネス用の引出口１０を設けている。該引出口１０は四角形状で切欠と対向する奥側端縁１０ａに沿った外面に矩形状のテープ巻き片１１を起伏自在に軸着している。
【００１６】
図４に示すように、テープ巻き片１１を倒伏位置とし、ロアカバー５の外面に沿わせた状態とした時に、該テープ巻き片１１を内嵌するコ字状の収容枠１２をロアカバー５の外面に突設している。該収容枠１２は引出口１０の奥側端縁１０ａの両端に位置する両側枠１２ａ、１２ｂの先端部分をテープ巻き片１１の軸受部１３としている。
【００１７】
左右一対の軸受部１３は対向する内面からそれぞれ軸穴１４を凹設している。該軸穴１４の内周面は図２（Ｄ）に示すように、上下位置に９０度円弧の扇形状の係止凸部１５、１６を突設している。係止凸部１５と係止凸部１６は時計回りで、回り方向の先端側を係止面１５ａ、１６ａとし、係止凸部１５は係止面１５ａと上面１５ｂとの間に９０度円弧面１５ｃを設け、係止凸部１６は係止面１６ａと下面１６ｂとの間に９０度円弧面１６ｃを設けている。
【００１８】
一方、図３に示すテープ巻き片１１は引出口１０の奥側端縁１０ａに沿った先端縁に沿って下方を突出させた回転支点部１８を設け、該回転支点部１８の両端から支軸２０を突設し、これら支軸２０を軸受部１３の軸穴１４内に差し込んで支持している。
【００１９】
前記回転支点部１８は図３に示すように、断面を９０度円弧の扇形状とし、引出口１０側の面を円弧面１８ａとし、対向面を直線面１８ｂとしている。該回転支点部１８の両側外端面１８ｃ、１８ｄの中央部からそれぞれ前記支軸２０を突設している。該支軸２０は断面正方形の４隅に扇状突起２１、２２、２３、２４を外向きに突設している。これら扇状突起２１は９０度間隔をあけた両側端辺２１ａ、２１ｂの先端を円弧辺２１ｃで連続した形状とし、他の扇状突起２２〜２４も同一形状としている。
【００２０】
前記軸穴１４に挿入する支軸２０は、軸穴１４の内周面から突出する係止凸部１５、１６に挟まれた空間に円弧辺２１ｃ〜２４ｃを有する扇状突起２１、２２、２３、２４を位置させて嵌合している。
テープ巻き片１１を倒伏位置から起立位置にする場合は、テープ巻き片１１をもって下向きに回転し、支軸２０を時計回りに９０度回転させると、４つの扇状突起２１〜２４のうちの１８０度対向する２つの扇状突起２１と２３の円弧辺２１ｃ、２３ｃが係止凸部１５、１６の円弧面１５ｃ、１６ｃに摺接しながら９０度回転し、９０度回転後に係止凸部１５、１６の係止面１５ａ、１６ａに扇状突起２１と２３の平坦な端辺２１ｂ、２３ｂが当接係止するように設定している。この状態でテープ巻き片１１を起立位置に保持でき、該起立位置から半時計回りに回転させると、前記と同様な作用でテープ巻き片１１をロアカバー５の外面に沿った倒伏位置に保持できるようにしている。  
【００２１】
さらに、テープ巻き片１１の支軸突出側とは反対側の端縁からテープ止め突起２７を突設している。該テープ止め突起２７の突出方向は倒伏位置でロアカバー５の外面に向く方向としている。
【００２２】
本発明の電気接続箱は、前記のようにロアカバー５にワイヤハーネスの引出口１０を設け、該引出口１０の一端縁に沿ってテープ巻き片１１を起伏自在に設けているため、電気接続箱１にワイヤハーネスを接続する迄、及びテープ巻き片１１を起立させてワイヤハーネスとテープ巻きする必要が無い場合には、テープ巻き片１１を図４に示す倒伏位置に位置させ、ロアカバー５の外面と沿わせた平行状態としている。
【００２３】
前記倒伏位置では、テープ巻き片１１の回転支点部１８は円弧面１８ａの先端がロアカバー５の外面に当接し、テープ巻き片１１の平板状本体とロアカバー５の外面との間に隙間があり、テープ止め突起２７がロアカバー５に向かって突出した状態である。
かつ、テープ巻き片１１の支軸２０の扇状突起２１〜２４と軸穴１４の係止凸部１５、１６は図４（Ｃ）に示す位置関係にあり、係止凸部１５は扇状突起２１と２２に挟まれ、係止凸部１６は扇状突起２３と２４に挟まれ、かつ、扇状突起２１、２３が係止凸部１５、１６を乗り越えて時計回りに回転させるには、規定以上の力で支軸２０、即ちテープ巻き片１１を回転させる必要があり、該回転力が負荷されない限り、テープ巻き片１１は回転されず倒伏位置に保持される。
【００２４】
このように、テープ巻き片１１がロアカバー５の外面から直角方向に突出しないため、テープ巻き片１１で電気接続箱の外形が大きくならず、電気接続箱の保管時および運搬時に占有スペースが大きくならない利点がある。
【００２５】
電気接続箱１の内部回路にワイヤハーネス２の電線を接続した後、該ワイヤハーネス２をロアカバー５の引出口１０から外部に引き出している。本実施形態では、電気接続箱１の内部の引出口１０に近接した位置にワイヤハーネスを固定する手段を設けていないため、引出口１０から引き出されるワイヤハーネス２は固定されずバラツキが多い状態となる。よって、電気接続箱１の引出口１０から所要部品までのワイヤハーネス２の寸法を検査する必要がある場合には、引出口１０でワイヤハーネス２を固定する必要がある。よって、引出口１０の端縁に沿ってテープ巻き片１１を起立させて外方へ突出させ、該テープ巻き片１１とワイヤハーネス２とを粘着テープ３３で巻き付けて、ワイヤハーネス２を電気接続箱１の引出口１０に固定している。
【００２６】
テープ巻き片１１を図５に示す起立位置とするには、前記倒伏位置に保持されているテープ巻き片１１を下向きに９０度時計回りに回転させる。この回転は、支軸２０の扇状突起２１、２３の円弧辺２１ｃ、２３ｃを係止凸部１５、１６の円弧面１５ｃ、１６ｃに摺接させながら乗り越えさせるために規定以上の力で支軸２０、即ちテープ巻き片１１を回転させる必要がある。
【００２７】
テープ巻き片１１を下向きに９０度時計回りに回転させて図５（Ｃ）に示す位置にくると、係止凸部１５は扇状突起２４と２１に挟まれ、係止凸部１６は扇状突起２２と２３に挟まれて保持させる。それ以上時計方向に回転させようとしても、扇状突起２４、２２が係止凸部１５、１６を乗り越えて時計回りに回転させるには、扇状突起２１、２３の側面が係止凸部１５、１６の係止面１５ａ、１６ａと接触して回転が阻止される。よって、テープ巻き片１１は起立位置から時計回り及び逆回りのいずれの方向への回転も阻止されて、起立位置に保持される。
【００２８】
起立位置としたテープ巻き片１１は引出口１０の端縁に沿ってロアカバー５の外面から垂直方向に突出する。引出口１０から引き出されるワイヤハーネス２をテープ巻き片１１に粘着テープ３３で巻き付ける。
このようにテープ巻き片１１をワイヤハーネス２と粘着テープ３３で巻き付けることにより、ワイヤハーネス２が引出口１０で固定されるため、ワイヤハーネス２の寸法検査時に安定した寸法測定を行うことができる。また、テープ巻き片１１自体もワイヤハーネス２に支持されて起立位置に保持されることになる。
【００２９】
このように、電気接続箱のワイヤハーネス用の引出口に沿ってテープ巻き片１１を起伏自在に取り付けているため、テープ巻き片が必要な場合と不要な場合の両方に共用で用いることができる。よって、電気接続箱の種類を低減でき、製造コストを押さえることができる。
【００３０】
本発明は前記実施形態に限定されず、ロアカバーの底壁にワイヤハーネス用の引出口を設ける場合にかぎらず、ケースの側壁、上壁等に引出口を設ける場合には、該引出口に接した位置にテープ巻き片を起伏自在に設け、倒伏時にはケースの側壁や上壁に沿わせて保持すればよい。
さらに、テープ巻き片に設ける支軸とケース側に設ける軸受部の軸穴との関係は、倒伏位置と起立位置との９０度回転し、回転位置で保持できる形状であれば、前記実施形態の形状に限定されない。
【００３１】
また、テープ巻き片１１の支軸２０の扇状突起と軸穴１４の係止凸部は、図６（Ａ）に示すように、扇状突起２１の１個とすると共に係止凸部１５、１６は９０度間隔をあけて設けてもよい。また、図６（Ｂ）に示すように、９０度間隔をあけて４つの係止凸部１５〜１８を設けてもよい。
【符号の説明】
【００３２】
１  電気接続箱
２  ワイヤハーネス
５  ロアカバー
１０  引出口
１１  テープ巻き片
１２  収容枠
１３  軸受部
１４  軸穴
１５、１６  係止凸部
１８  回転支点部
２０  支軸
２１〜２４  扇状突起
３３  粘着テープ
【図１】
2012170239.tif 000003
【図２】
2012170239.tif 000004
【図３】
2012170239.tif 000005
【図４】
2012170239.tif 000006
【図５】
2012170239.tif 000007
【図６】
2012170239.tif 000008